(57)【要約】  【課題】  映画等の番組において高い信頼性で前記ＣＭ部分を判別することができるＣＭ判別機能を備え，前記ＣＭ部分が判別された場合に自動で音量の調節を行うことが可能なテレビジョン受像機を提供することにある。  【解決手段】  映像信号及びその映像と同期した音声信号を入力し，選択された出力対象のチャンネルについて，その前記映像信号がレターボックスタイプの映像信号であるか否かをレターボックス判別回路８により判別し，その結果に基づいて制御部４が音声処理回路６を制御することにより，前記音声信号の出力音量が調節されるテレビジョン受像機として構成される。【選択図】  図１
2006086947.tif 000002
【特許請求の範囲】
【請求項１】
映像信号及びその映像と同期した音声信号を入力する信号入力手段と，
前記映像信号がレターボックスタイプの映像の信号であるか否かに基づいてコマーシャル放送中であるか否かを判別するＣＭ判別手段と，
前記ＣＭ判別手段による判別結果に基づいて前記音声信号の出力音量を調節する音量調節手段と，
を具備してなることを特徴とするテレビジョン受像機。
【請求項２】
前記音声信号がステレオ信号か否かを判別する音声判別手段を具備し，
前記ＣＭ判別手段が前記映像信号がレターボックスタイプの映像の信号であるか否かに加え，前期音声信号がステレオ音声信号とその他の信号との間で変化したか否かにも基づいてコマーシャル放送中であるか否かを判別するものである請求項１に記載のテレビジョン受像機。
【請求項３】
前記音声信号の出力音量を操作入力に従って調節する音量手動調節手段と，
コマーシャル放送中であると判別されているときに前記音量手動調節手段により調節された前記音声信号の第１の出力音量とその他のときに前記音量手動調節手段により調節された前記音声信号の第２の出力音量との各々を記憶する音量記憶手段と，を具備し，
前記音量調節手段が，前記判別結果に応じて前記第１の出力音量と前記第２の出力音量とを切り替えることにより前記音声信号の出力音量を自動調節してなる請求項１又は２に記載のテレビジョン受像機。
【請求項４】
コマーシャル放送中であると判別されているときとそれ以外のときとの出力音量の比率又は差分に関する音量変更情報を予め記憶する音量変更情報記憶手段を具備し，
前記音量調節手段が，前記音量変更情報に基づいて前記音声信号の出力音量を自動調節してなる請求項１又は２に記載のテレビジョン受像機。
【請求項５】
前記音量変更情報が任意に調節可能である請求項４に記載のテレビジョン受像機。
【発明の詳細な説明】
【技術分野】
【０００１】
本発明は，映像信号及びその映像と同期した音声信号が重畳されたテレビ放送信号を受信するテレビジョン受像機に関し，特に，選択された出力対象のチャンネルがコマーシャル放送中であるか否かを判別する機能，及びその判別結果に基づいて音量信号の出力音量を自動で制御する機能を有するテレビジョン受像機に関するものである。
【背景技術】
【０００２】
近年，テレビジョン受像機で民間放送用のチャンネルが選択されてその放送番組が視聴されている際に，そのチャンネルの放送信号（映像信号及び音声信号）について，番組の本編部分であるか，その本編部分の合間に挿入されているコマーシャル部分（以下，ＣＭ部分）であるかを判別し，その判別結果に応じて放送内容の出力制御を行うテレビジョン受像機が提案されている。
例えば，前記ＣＭ部分においては，一般的に前記本編部分に比べて音量が大きく設定されており，前記ＣＭ部分と前記本編部分とが切り替わる都度，視聴者が音量調節を行なわなければならないという手間を省くため，前記ＣＭ部分が判別された場合には，自動で出力される音量（出力音量）を低下させる，等のＣＭ処理を行う技術が，特許文献１に開示されている。
特許文献１に開示されている技術では，前記ＣＭ部分の自動判別は，受信された音声信号に基づいて行われている。即ち，映画等の放送では多重音声放送が用いられることが多く，一方，前記ＣＭ部分ではステレオ放送若しくはモノラル放送が用いられることが多いことが知られている。そこで，特許文献１に記載のテレビジョン受像機は，前記音声信号に基づいて，映画などの多重音声放送からステレオ音声放送に切り替わった場合を，本編部分の放送から前記ＣＭ部分の放送に切り替わったと判別する。
また，特許文献２には，前記音声信号に基づいて前記ＣＭ部分を判別した結果と，前記映像信号がレターボックスタイプのものであるか否かの判別結果とに基づいてズーム制御を抑止する等の表示制御を行う技術が開示されている。
【特許文献１】実開平５−７４０８０号公報
【特許文献２】特開平１０−６５９８８号公報
【発明の開示】
【発明が解決しようとする課題】
【０００３】
しかしながら，実際には，前記本編部分においてもモノラル音声若しくはステレオ音声での放送がなされる場合もあり，そのような場合には，特許文献１に開示されている技術では誤判別が生じるという問題点があった。
従って，本発明は上記事情に鑑みてなされたものであり，その目的とするところは，映画番組の放送において高い信頼性で前記ＣＭ部分を判別することが可能なＣＭ判別機能を備え，前記ＣＭ部分が判別された場合に自動で音量の調節を行うことのできるテレビジョン受像機を提供することにある。
【課題を解決するための手段】
【０００４】
上記目的を達成するために本発明は，映像信号及びその映像と同期した音声信号を入力し，その前記映像信号がレターボックスタイプの映像信号であるか否かに基づいてＣＭ放送中であるか否かの判別がなされ，その結果に応じて前記音声信号の出力音量が調節されるテレビジョン受像機として構成される。
一般的に，映画番組の放送において，本編部分での前記映像信号はレターボックスタイプ（画面の上下に黒帯部を有する映像形式）のものであることが多く，ＣＭ部分における前記映像信号がレターボックスタイプであることは極稀である。従って，前記映像信号がレターボックスタイプのものであるか否かにより，番組の本編部分かＣＭ部分かを判別するものとすれば，前記本編部分及び前記ＣＭ部分を音声信号に基づいて判別する場合に比較して前記ＣＭ部分の判別の信頼性が高く，また，その判別結果に応じた適切な出力音量の調節がなされる。
【０００５】
また，映画番組において，本編部分での前記映像信号がレターボックスでない場合も存在し，そのような場合にレターボックスタイプか否かのみをＣＭ放送中であるか否かの判別基準とすると，本編部分及びＣＭ部分の両方においてＣＭ放送中であるとの判別が継続される。従って，前記音声信号がステレオ信号かそれ以外の信号であるかを判別し，前記映像信号がレターボックスタイプであるか否かに加え，前記音声信号がステレオ音声信号とその他の信号との間で変化したか否かにも基づいてＣＭ部分であるか否かの判別を行うのが，より一層望ましい。
【０００６】
ここで，一般にテレビジョン受像機は，映像と並行して（同時に）出力する音声信号の出力音量を外部からの操作入力に従って調節する機能（以下，音量手動調節機能という）を有するが，ＣＭ放送中であると判別されている場合に前記音量手動調節機能により調節された出力音量と，ＣＭ放送中でない（本編放送中である）と判別されている場合に前記音量手動調節機能により調節された出力音量との各々を記憶手段に記憶し，それらの記憶された出力音量を前記映像信号がレターボックスタイプの映像信号であるか否かに応じて切り替えることにより，前記音声信号の出力音量を調節することが一例として考えられる。
このような制御機能を有することにより，視聴者は，ＣＭ放送中の音量や本編放送中の音量に関する情報を装置に記憶させるための特別な操作を行う必要がなく，通常行う自然な操作を行っているうちに，ＣＭ放送中の音量や本編放送中の音量に関する情報が装置に自動的に記憶され，それらの音量に基づいて音量の切替が行われる。
【０００７】
また，ＣＭ放送中であると判別されているときとそれ以外のときとの出力音量の比率若しくは差分に関する音量変更情報を記憶手段に記憶しておき，それらの記憶された音量変更情報に基づいて，前記映像信号がレターボックスタイプの映像信号であるか否かに応じて出力音量が調節されるものとすることも一例として考えられる。
また，前記音量変更情報は任意に設定可能であるのが望ましい。
【発明の効果】
【０００８】
本発明によれば，入力した映像信号がレターボックスタイプの映像信号であるか否かが判別され，その判別結果に基づいて前記映像信号と同時に入力した音声信号の出力音量が調節されるので，例えばステレオ音声放送の本編部分，もしくはモノラル音声放送や多重音声放送でのＣＭ部分等からなる番組においても高い信頼性で前記ＣＭ部分の判別がなされ，その判別結果に応じた適切な出力音量の調節がなされる。
さらに，前記映像信号がレターボックスタイプの信号であると判別されている場合とそれ以外の場合との各々において前記音量手動調節機能により調節された出力音量各々を記憶し，その記憶した出力音量を前記映像信号がレターボックスタイプの映像信号であるか否かに応じて切り替えることにより出力音量を調節すれば，視聴者が通常行う自然な操作を行っているうちに所望の音量の記憶及びその記憶音量に基づく音量制御が行われるので，非常に操作性が良いものとなる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ａの概略構成図である。図２はテレビジョン受像機ＡにおけるＣＭ判別に基づく音量調節処理の手順を示すフローチャートである。
図１に示されるように，本発明の実施の形態に係るテレビジョン受像機Ａは，チューナ２，検波回路３，制御部４，入力部５，音声処理回路６，音声出力部７，レターボックス判別回路８，映像処理回路９，映像出力部１０等により概略構成される。
【００１０】
テレビジョン受像機Ａは，受信アンテナ１に接続され，この受信アンテナ１により，複数の放送局各々から放送（送信）されるテレビ放送信号，即ち，映像信号及びその映像と同期した音声信号が重畳された信号が受信される。
前記受信アンテナ１により受信された複数チャンネル（複数局）分のテレビ放送信号は，前記チューナ２（信号入力手段の一例）に入力され，このチューナ２により，複数チャンネルのうち当該テレビジョン受像機Ａによって出力される１つのチャンネル（以下，出力チャンネルという）のテレビ放送信号が選択（抽出）され，その出力チャンネルのテレビ放送信号のみが前記検波回路３に伝送される。
前記検波回路３においては，前記出力チャンネルのテレビ放送信号に対し，映像検波及び音声検波（映像信号及び音声信号の抽出）がなされ，前記音声信号は前記音声処理回路６に，前記映像信号は前記レターボックス判別回路８及び映像処理回路９に，それぞれ伝送される。
【００１１】
前記入力部５は，例えばリモコンによる当該テレビジョン受像機Ａに対する操作に関する信号（操作信号）の受信部，若しくは当該テレビジョン受像機Ａの外面等に設けられた操作スイッチ類等の総称である。
前記制御部４は，ＭＰＵ及びその周辺装置であるＲＯＭ，ＲＡＭ等を備え，そのＲＯＭに予め記憶された制御プログラムを実行することにより，前記リモコン等による外部からの操作入力に従った前記出力チャンネルの設定処理等を含む当該テレビジョン受像機Ａの統括的な制御を行うものである。更に，前記制御部４は，書き換え可能なＳＲＡＭ等の記憶手段であるデータ記憶部４ａを備え，このデータ記憶部４ａには，後述するように視聴者の操作入力によって調節される出力音量の情報等が記憶される。
前記チューナー２により選択される前記出力チャンネルは，前記リモコン等による外部からのチャンネル選択操作の情報が前記入力部５を通じて入力され，そのチャンネル選択操作の情報に従って，前記制御部４により，前記チューナ２に対して抽出（選択）すべき一のチャンネルが指定（指示）される。
【００１２】
前記音声処理回路６では，前記検波回路３から伝送されてきた前記音声信号に対し，出力音量の調節（音声信号を増幅或いは減衰させる処理）を含む各種の信号処理（例えば，前記音声出力部７の特性に応じたイコライズ処理，サラウンド処理，またはノイズ除去処理など）がなされ，その処理後の音声信号は，スピーカ等からなる前記音声出力部７から出力される。
尚，リモコンからの操作入力等，前記入力部５を通じた外部からの出力音量の調節（音量手動調節）操作（即ち，操作入力）が行われると，その操作に応じて前記制御部４が前記音声処理回路６（前記制御部４及び前記音声処理回路６が音量手動調節手段の一例）を制御することにより，前記出力音声の調節が行われる。
また，前記映像処理回路９では，前記検波回路３から伝送されてきた前記映像信号に対して各種の信号処理（例えば，前記映像信号からの水平及び垂直同期信号の分離，その同期信号に位相同期したクロック信号の生成，映像信号からの輝度信号及び色信号の分離，所定の画質改善処理など）がなされ，その処理後の映像信号は，ディスプレイ等からなる前記映像出力部１０から出力される。
前記レターボックス判別回路８では，前記検波回路３から伝送されてきた前記映像信号がレターボックスタイプのものであるか否かが判別される。
映画放送の番組において，ＣＭ放送にはレターボックスタイプの映像信号が用いられることは少なく，本編放送にはレターボックスタイプの映像信号が用いられることが多い。
そこで，前記レターボックス判別回路８により，前記映像信号を解析することによってそれがレターボックスタイプの映像信号であるか否かを判別し，その判別結果を，前記出力チャンネルの映像信号がＣＭ放送の映像信号であるか映画の本編の放送の映像信号であるかの判別指標として，前記制御部４に入力させる。  尚，前記映像信号がレターボックスタイプか否かの判別方法は，表示映像の黒帯部を検出する方法，ＶＢＩ（垂直帰線期間）中に含まれる情報解析による方法等，特許文献２等に開示されている従来公知の方法を用いればよい。
【００１３】
本発明の実施の形態に係るテレビジョン受像機Ａは，通常モードと映画鑑賞モードとの切り替え機能を有しており，それらのモードは，前記入力部５を通じて入力される前記リモコンなどによる外部からの操作入力情報に応じて，前記制御部４により切り替え（設定）がなされる。
ここで，前記映画鑑賞モードとは，前記出力チャンネルがＣＭ放送中であると判別されたか否か（前記出力チャンネルの出力信号がレターボックスタイプであると判別されたか否か）に基づいて，前記制御部４により前記音声処理回路６の制御を行って前記音声出力部７から出力される前記音声信号の出力音量を自動調節するモードである。一方，前記通常モードは，前記出力チャンネルがＣＭ放送中であるか否かにかかわらず出力音量の自動調節を行わないモードである。
【００１４】
以下，図２に示すフローチャートを用いて，テレビジョン受像機ＡにおけるＣＭ判別に基づく音量調節処理の手順について説明する。図２に示す各処理は，前記制御部４が所定の制御プログラムを実行することにより行われ，前記入力部５を通じて前記映画鑑賞モードへ移行する操作入力がなされた時から処理が開始される。なお，以下に示すＳ１，Ｓ２，…は，処理手順（ステップ）の識別符号を表す。
前記映画鑑賞モードへの移行設定（操作入力）がなされた後は，まず，その映画鑑賞モードが継続しているか否か（即ち，視聴者により前記通常モードへ移行する操作入力がなされていないか否か）が確認される（Ｓ１）。そして，前記映画鑑賞モードが継続している間は，以下に示すステップＳ２以降の処理が順次繰り返される一方，前記映画鑑賞モードでなくなった（即ち，視聴者により前記通常モードへ移行する操作入力がなされた）と判別された場合に当該処理を終了させる（Ｓ１のＮ）。
ステップＳ１において，前記映画鑑賞モードが継続中であると判別されれば（Ｓ１のＹ），前記出力チャンネルの前記映像信号がレターボックスタイプであるか否かの判別結果が前記レターボックス判別回路８から入力され（Ｓ２），更にその入力された判別結果から前記出力チャンネルがＣＭ放送中であるか本編放送中であるかが判別される（Ｓ３）。ここでは，前記制御部４（ＣＭ判別手段の一例）により，前記映像信号がレターボックスタイプでなければそのときの前記出力チャンネルはＣＭ放送中であると判別され，レターボックスタイプであれば前記出力チャンネルはＣＭ放送中でないと（本編放送中であると）判別される。
このステップＳ３における判別結果は，最新の判別結果が今回の判別結果として，またその１回前の判別結果が前回の判別結果として順次更新されながら前記データ記憶部４ａに記憶される。
【００１５】
ステップＳ３においてＣＭ放送中であると判別された（前記今回の判別結果がＣＭ放送中である）場合（Ｓ３のＹ），前記データ記憶部４ａに記憶されている前記前回の判別結果及び前記今回の判別結果が参照され，前記前回の判別結果と前記今回の判別結果とに相違があるか否か（つまり，今回の判別で本編放送からＣＭ放送に切り替わったか否か）が判別される（Ｓ１０１）。ここで，相違があると判別された場合（Ｓ１０１のＹ），前記制御部４による前記音声処理回路６の制御が行われ，前記音声出力部７から出力される出力音量が，前記データ記憶部４ａに記憶されているＣＭ放送中の音量設定情報（以下，第一の音量情報という）に従った音量に自動調節され（Ｓ１０２），その後ステップＳ１０３の処理へ移行する。
前記第一の音量情報は，前記映画鑑賞モードが設定されている場合であり，かつ前記出力チャンネルの映像信号がレターボックスタイプの信号でないと判別されているとき（ＣＭ放送中であると判別されているとき）に，前記リモコン等による外部からの操作入力に従って前記制御部４及び前記音声処理回路６（音量手動調節手段の一例）により調節された出力音量を表す情報であり，つまり視聴者の手動調節によるＣＭ放送時における出力音量を表す情報である。
一方，相違がないと判別された場合は（Ｓ１０１のＮ），既に前記第一の音量情報に基づいた自動音量調節は実行済みであると判断され，ステップＳ１０２はスキップされてステップＳ１０３の処理へ移行する。
【００１６】
ステップＳ１０３では，視聴者による出力音量の手動変更操作がなされたか否か（前記入力部５を通じた音量調節操作の入力がなされたか否か）が判別される。ここで，視聴者による出力音量の手動変更操作がなされたと判別された場合（Ｓ１０３のＹ），前記制御部４による前記音声処理回路６の制御が行われ，前記音声出力部７から出力される出力音量が，前記手動変更操作に従った出力音量（変更後の出力音量）に調節される（Ｓ１０４）。
一般に，ＣＭ放送中の音声信号は，映画本編を放送中の音声信号よりも高い音量に設定されているため，視聴者は，このステップＳ１０３における出力音量の手動変更操作を行う場合，映画本編を放送中の出力音量よりも低レベルの音量に調節することが通常である。
さらに，前記データ記憶部４ａに記憶される前記第一の音量情報がその変更後の出力音量を表す情報に更新され（Ｓ１０５），その後，ステップＳ１へ移行して前述した処理が繰り返される。
これに対し，ステップＳ１０３において，視聴者による出力音量の変更操作がなかったと判別された場合（Ｓ１０３のＮ）は，そのままステップＳ１へ移行して前述した処理が繰り返される。
【００１７】
一方，ステップＳ３において，ＣＭ放送中でないと判別された場合（Ｓ３のＮ），前述したステップＳ１０１と同様に，前記前回の判別結果及び前記今回の判別結果が参照され，前回の判別結果と今回の判別結果とに相違があるか否か（つまり，今回の判別でＣＭ放送から本編放送に切り替わったか否か）が判別される（Ｓ２０１）。ここで，相違があると判別された場合（Ｓ２０１のＹ），前記データ記憶部４ａに記憶されている本編放送中の音量設定情報（以下，第二の音量情報という）に従った音量に自動調節され（Ｓ２０２），その後ステップＳ２０３の処理へ移行する。
前記第二の音量情報は，前記映画鑑賞モードが設定されている場合であり，かつ前記出力チャンネルの映像信号がレターボックスタイプの信号であると判別されているとき（本編放送中であると判別されているとき）に，前記リモコン等による外部からの操作入力に従って前記制御部４及び前記音声処理回路６（音量手動調節手段の一例）により調節された出力音量を表す情報であり，つまり視聴者の手動調節による本編放送時における出力音量を表す情報である。
一方，相違がないと判別された場合は（Ｓ２０１のＮ），既に前記第二の音量情報に基づいた自動音量調節は実行済みであると判断され，ステップＳ２０２はスキップされてステップＳ２０３の処理へ移行する。
ステップＳ２０３では，視聴者による出力音量の手動変更操作がなされたか否か（前記入力部５を通じた音量調節操作の入力がなされたか否か）が判別される。ここで，視聴者による出力音量の手動変更操作がなされたと判別された場合（Ｓ２０３のＹ），前記制御部４による前記音声処理回路６の制御が行われ，前記音声出力部７から出力される出力音量が，前記手動変更操作に従った出力音量（変更後の出力音量）に調節される（Ｓ２０４）。
一般に，映画本編を放送中の音声信号は，ＣＭ放送中の音声信号よりも低い音量に設定されているため，視聴者は，このステップＳ２０３における出力音量の手動変更操作を行う場合，ＣＭ放送中の出力音量よりも高レベルの音量に調節することが通常である。
さらに，前記データ記憶部４ａに記憶される前記第二の音量情報がその変更後の出力音量を表す情報に更新され（Ｓ２０５），その後，ステップＳ１へ移行して前述した処理が繰り返される。
これに対し，ステップＳ２０３において，視聴者による出力音量の変更操作がなかったと判別された場合（Ｓ２０３のＮ）は，そのままステップＳ１へ移行して前述した処理が繰り返される。
以上のように，前記レターボックス判別回路８の判別結果（映像信号がレターボックスタイプの映像信号であるか否か）に応じて（Ｓ３のＹｏｒＮ），前記制御部４及び前記音声処理回路６（音量調節手段）により出力音量が自動調節されるので，映画放送番組について確実なＣＭ判別とその判別結果に基づく適切な出力音量の自動調節がなされる。
しかも，映像信号がレターボックスタイプの信号であると判別されているときに手動音量調節された出力音量（第１の出力音量）と，その他のときに手動音量調節された出力音量（第２の出力音量）との各々を前記データ記憶部４ａに記憶し（Ｓ１０５，Ｓ２０５），前記制御部４及び前記音声処理回路６（音量調節手段）により，レターボックス判別の結果に応じて記憶した出力音量（第１の出力音量と第２の出力音量）を切り替えることにより音声信号の出力音量を自動調節する（Ｓ１０２，Ｓ２０２）ので，視聴者が通常行う自然な操作を行っているうちに所望の音量の記憶及びその記憶音量に基づく音量制御が自動的に行われ，非常に操作性が良い。
【実施例】
【００１８】
上述の実施形態では，第一の出力音量（ＣＭ放送中に手動調節された音量）及び第二の出力音量（本編放送中に手動調節された音量）の各情報を前記データ記憶部４ａに記憶しておき，前記映像信号がレターボックスタイプのものであるか否かの判別結果に従って，それらの出力音量を切り替えることにより出力音量の調節を行なう例について示したが，前記第一の出力音量及び前記第二の出力音量の代わりにＣＭ放送中の音声信号抑制率（比率），若しくは本編放送中における出力音量とＣＭ放送中における出力音量との差分等の情報（音量変更情報）を前記データ記憶部４ａ（音量変更情報記憶手段）に予め記憶しておき，前記映像信号がレターボックスタイプのものでないと判別された場合（ＣＭ放送中であると判別された場合），そのような音量変更情報に従って，前記制御部４（音量調節手段）が前記音声信号の出力音量を抑制（調節）することも一例として考えられる。更に，前記音量変更情報は，リモコン等の外部からの操作入力に応じて任意に変更（設定）可能であるものとするのが望ましい。
また，前記通常モードから前記映画鑑賞モードへの移行を半自動的に行うものも考えられる。
例えば，前記通常モードにおいて前記レターボックス判別回路８によて前記出力チャンネルの映像信号がレターボックスタイプであるか否かを常時監視しておき，レターボックスタイプであると判別された場合に，前記制御部４によって前記映像処理回路９を制御して前記映像出力部１０に前記映画鑑賞モードへ移行させるか否かを選択する選択メニューを表示（スーパーインポーズ）させ，その選択メニューに対する操作入力に従って前記映画鑑賞モードに移行させるか否かを制御するもの等が考えられる。
【００１９】
さらに，映画放送における前記映像信号がレターボックスタイプでない場合もあるので，ＣＭ放送と映画本編の放送の判別を確実にするために、前記音声信号及び前記映像信号の両方に基づいてＣＭ放送中か否かの判別を行う実施例も一例として考え得る。
この場合，例えば前記検波回路３と前記音声処理回路６とを結ぶ経路上等に音声信号解析回路（音声判別手段の一例）を設けておく。該音声信号解析回路は前記音声信号がステレオ信号であるか否か（モノラル信号若しくは多重音声信号であるか）を判別するものであり，更にその判別結果は前記制御部４に入力されるものとする。前記制御部４は，前記レターボックス判別回路８による判別結果，及び前記音声信号解析回路による判別結果に基づいて，例えば以下のようにＣＭ放送中であるか否かの判別を行う。
前記映像信号がレターボックスタイプでないと判別された場合であっても，前記音声信号がステレオ音声信号からモノラル音声信号または２ヶ国語音声信号（多重音声信号）に変化したことを検出してＣＭ放送が映画本編の放送に切り替わったと判別し，音量の自動調節を行うものとする。
また，この場合，前記音声信号が逆の変化（モノラル音声若しくは多重音声からステレオ音声に変化）をしたことを検出したときは、映画本編の放送からＣＭ放送に切り替わったと判別して，音量の自動調節を行うものである。
【図面の簡単な説明】
【００２０】
【図１】本発明の実施の形態に係るテレビジョン受像機Ａの概略構成図。
【図２】テレビジョン受像機ＡにおけるＣＭ判別に基づく音量調節処理の手順を示すフローチャート。
【符号の説明】
【００２１】
１…受信アンテナ
２…チューナ（信号入力手段の一例）
３…検波回路
４…制御部（ＣＭ判別手段，音量調節手段，音量手動調節手段の一例）
４ａ…データ記憶部（音量記憶手段の一例）
５…入力部
６…音声処理回路
７…音声出力部
８…レターボックス判別回路
９…映像処理回路
１０…映像出力部
【図１】
2006086947.tif 000003
【図２】
2006086947.tif 000004